(57)【要約】      （修正有）【課題】持ち運び時においては、簡易に帽子本体をコンパクトに持ち運べるようにしつつ、帽子の装着時においては、帽子の審美性を確保することができる帽子を提供する。【解決手段】帽子１は、帽子本体５と、帽子本体に装着される装飾部４とを備える。装飾部は、帽子本体の外面に着脱可能に装着され、帽子本体から取り外されたときに袋状をなし、帽子本体を収納可能である。【選択図】図１
0003200155.tif 000002
【実用新案登録請求の範囲】
【請求項１】
帽子本体と、前記帽子本体の外面に装着される装飾部と、を備え、
前記装飾部は、前記帽子本体に着脱可能に装着され、前記帽子本体から取り外されたときに袋状をなし、前記帽子本体を収納可能であることを特徴とする帽子。
【請求項２】
請求項１に記載の帽子であって、
前記装飾部は、帽子本体の外側に設けられたループ状部に挿通されることを特徴とする帽子。
【請求項３】
請求項２に記載の帽子であって、
前記クラウン部は、外面に装着部を設け、
前記装飾部は、前記クラウン側の面に被装着部を備え、かつ、前記被装着部と前記装着部とが係止することによって前記帽子本体に着脱可能に装着されること特徴とする帽子。
【請求項４】
請求項１ないし３のいずれかに記載の帽子であって、
前記装飾部は、前記帽子本体から取り外されたときに袋状をなし、かつ、基部と、前記基部の長手方向の両端に前記基部と一体となって構成される露出部および被覆部と、を備え、
前記被覆部の一部は、前記露出部によって覆われ、
前記露出部と前記被覆部の間には、開口部が形成され、
前記開口部は、前記露出部および前記被覆部の間に設けられた止め部および被止め部により着脱自在に開閉されることを特徴とする帽子。
【請求項５】
請求項１ないし４のいずれかに記載の帽子であって、
前記装飾部は、前記クラウン部の後頭部側に設けられていることを特徴とする帽子。
【請求項６】
請求項１ないし４のいずれかに記載の帽子であって、
前記装飾部は、前記クラウン部の側頭部側に設けられていることを特徴とする帽子。
【考案の詳細な説明】
【技術分野】
【０００１】
本考案は、装身具の一種である帽子に係り、詳しくは、帽子の持ち運び時において帽子の収納を容易とする構造を備える帽子に関する。
【背景技術】
【０００２】
従来、図９に示すとおり、帽子本体１０５に着脱自在に装着される装飾部１０４を備えた帽子１０１が知られている。かかる帽子１０１によれば、帽子１０１を着用する際の気分等により、装飾部１０４を変更することで外観の印象を変化させることができる。
【先行技術文献】
【特許文献】
【０００３】
【特許文献１】実用新案登録第３１６６４４６号
【考案の概要】
【考案が解決しようとする課題】
【０００４】
しかし、上記構成であっても下記のような課題を有する。
【０００５】
すなわち、着用者が前記帽子１０１を着用せずに持ち運びするときに前記帽子１０１をコンパクトに収納することができないため、帽子１０１の持ち運びが不便である。また、着用者が帽子１０１を袋等に入れて持ち運ぶ場合には、帽子１０１とは別に袋を携帯しなければならないため、荷物が増え、煩に堪えない。さらに、帽子１０１に持ち運びを容易にする構造を設けたとしても、前記構造が複雑であっては、着用者にとって利便性を欠くこととなる。加えて、帽子１０１に前記構造を設けることも重要であるが、帽子１０１には、外観に与える印象も大きいという性質も有する。そのため、帽子１０１の着用時における帽子自体の審美性を確保しなければならない。そのため、前記構造を設けるにあたって、帽子１０１の外観は、通常の帽子と変わらないようにする必要がある。
【０００６】
本考案は、以上の点に鑑みてなされたものであり、その技術的課題は、持ち運び時においては、帽子本体を簡易かつコンパクトに持ち運べるようにしつつ、帽子の着用時においては、帽子の審美性を確保することができる帽子を提供することにある。
【課題を解決するための手段】
【０００７】
上述した技術的課題を有効に解決するための手段として、請求項１に記載の考案にあっては、帽子本体と、前記帽子本体の外面に装着される装飾部と、を備え、前記装飾部は、前記帽子本体に着脱可能に装着され、前記帽子本体から取り外されたときに袋状をなし、前記帽子本体を収納可能であることを特徴とする。
【０００８】
請求項２に記載の考案にあっては、請求項１に記載の帽子であって、前記装飾部は、帽子本体の外面に設けられたループ状部に挿通されることを特徴とする。
【０００９】
請求項３に記載の考案にあっては、請求項２に記載の帽子であって、前記クラウン部は、外面に装着部を設け、前記装飾部は、前記クラウン側の面に被装着部を備え、かつ、前記被装着部と前記装着部とが係止することによって、前記帽子本体に着脱可能に装着されること特徴とする。
【００１０】
請求項４に記載の考案にあっては、請求項１ないし３のいずれかに記載の帽子であって、前記装飾部は、前記帽子本体から取り外されたときに袋状をなし、かつ、基部と、前記基部の長手方向の両端に前記基部と一体となって構成される露出部および被覆部とを備え、前記被覆部の一部は、前記露出部によって覆われ、前記露出部と前記被覆部の間には、開口部が形成され、前記開口部は、前記露出部および前記被覆部の間に設けられた止め部および被止め部により着脱自在に開閉されることを特徴とする。
【００１１】
請求項５に記載の考案にあっては、請求項１ないし４のいずれかに記載の帽子であって、前記装飾部は、前記クラウン部の後頭部側に設けられていることを特徴とする。
【００１２】
請求項６に記載の考案にあっては、請求項１ないし４のいずれかに記載の帽子であって、前記装飾部は、前記クラウン部の側頭部側に設けられていることを特徴とする。
【考案の効果】
【００１３】
以上の通り、本考案の帽子によれば、帽子の持ち運びを容易にする簡易な構造を設けることにより、帽子本体をコンパクトに持ち運ぶことができ、かつ、帽子の着用時における帽子の審美性を確保することができる。
【図面の簡単な説明】
【００１４】
【図１】本考案の実施例に係る帽子の側面（側頭部側）図である。
【図２】本考案の実施例に係る帽子の背面（後頭部側）図である。
【図３】本考案の実施例に係る帽子の平面（頂頭部側）図である。
【図４】本考案の実施例に係る帽子における装飾部の離脱時の動作を示す図である。
【図５】本考案の実施例に係る帽子における装飾部であって、（ａ）は、正面図であり、（ｂ）は、背面図である。
【図６】本考案の実施例に係る帽子の装飾部における開口部を示す図である。
【図７】本考案の実施例に係る帽子における帽子本体を装飾部に収納した状態を示す図である。
【図８】本考案の他の実施例に係る帽子の側面（側頭部側）図である。
【図９】従来技術に係る帽子における装着部の着脱の動作を示す図である。
【考案を実施するための形態】
【００１５】
以下において、本考案の実施に係る帽子１の実施例および他の実施例について図面に基づき詳細に説明する。なお、本実施例により本考案が限定されるものではない。
【００１６】
まず、本考案の実施例に係る帽子１について図１ないし図３に基づいて説明する。図１は、本考案の実施例に係る帽子１の側面図であり、図２は、本考案の実施例に係る帽子１の背面（後頭部側）図であり、図３は、本考案の実施例に係る帽子１の平面（頂頭部側）図である。
【００１７】
すなわち、実施例に係る帽子１は、クラウン部２および前記クラウン部２の開口端部（図示せず）にツバ部３を有する帽子本体５と、前記クラウン部２の周縁部に装着される装飾部４と、を備える。
【００１８】
帽子本体５は、着用者の頭部を覆うクラウン部２を備える。前記クラウン部２は、図面下端に開口端部を有し、かかる開口端部に頭部を挿入することで、着用者は、帽子１を着用する。
【００１９】
また、前記帽子本体５は、着用者の頭部を日光から保護する等の観点から、前記クラウン部２の開口端部にツバ部３を設ける。前記ツバ部３は、クラウン部２の開口端部から突出し、前記クラウン部２の全周にわたり設けられる。なお、前記ツバ部３は、前記クラウン部２の開口端部から円周上一部に設けられてもよい。また、前記クラウン部２が突出する方向は、帽子１のデザイン等により適宜変更される。
【００２０】
帽子本体５は、クラウン部２およびツバ部３ともに柔らかな布地によって縫製される。したがって、前記帽子１は、変形し易くなるため、装飾部４へコンパクトに収納することができる。なお、クラウン部２およびツバ部３は、一体として縫製される限りにおいて、一枚布で縫製されてもよく、また、複数枚の布で縫製されても良い。
【００２１】
次に、実施例に係る帽子１の装飾部４について、図５および図６に基いて説明する。図５は、本考案の実施例に係る帽子１における装飾部４であって、（ａ）は、正面図であり、（ｂ）は、背面図であり、図６は、本考案の実施例に係る帽子の装飾部４における開口部１２を示す図である。
【００２２】
前記装飾部４は、帽子本体５から取り外されたとき、扁平で横長の袋状を形成する。また、前記装飾部４は、基部８と、前記基部８の長手方向の両端に前記基部８と一体となって成形される露出部９および被覆部１０と、を備える。前記装飾部４は、基部８、被覆部１０および露出部９をこの順に重ねて、基部８、被覆部１０および露出部９の長手方向の両端を縫製し、前記基部８の幅方向の両端を、前記被覆部１０および前記露出部９における幅方向の一端とともに縫製することで形成される。また、前記装飾部４には、前記基部８の幅方向の両端と縫製されていない前記露出部９および前記被覆部１０における幅方向の他端を設けることとなる。そのため、前記幅方向の他端側における前記露出部９および前記被覆部１０との間には、間隙が設けられ、前記間隙がすなわち開口部１２として成形される。したがって、前記装飾部４は前記基部８、前記露出部９及び前記被覆部１０によって、袋状を形成するため、前記開口部１２から前記帽子本体５を前記装飾部４に収納することができる。
【００２３】
加えて、前記露出部９と前記被覆部１０には、前記開口部１２を着脱自在に開閉するための止め部１１ａおよび被止め部１１ｂが設けられる。止め部１１ａおよび被止め部１１ｂは、前記露出部９と前記被覆部１０の間に設けられ、前記露出部９には前記止め部１１ａが、被覆部１０には前記被止め部１１ｂが縫製される。また、前記開口部１２は、前記止め部１１ａと前記被止め部１１ｂとが係合されることにより、閉じられる。したがって、前記止め部１１ａおよび被止め部１１ｂにより、装飾部４に収納された帽子本体５が脱落することを防止する。
【００２４】
なお、前記露出部９は、前記被覆部１０の一部の面を重ねて縫製してもよく、また、前記被覆部１０の全体の面を重ねて縫製してもよい。また、前記基部８、前記被覆部１０および前記露出部９は、一体として縫製される限りにおいて、一枚布で縫製されてもよく、また、複数枚の布で縫製されてもよい。ただし、一枚布で縫製される場合には、前記基部８の幅方向の両端を、前記被覆部１０および前記露出部９における幅方向一端とともに縫製する必要はない。さらに、前記止め部１１ａおよび前記被止め部１１ｂとしては、スナップボタン、面ファスナ、ホック等といった前記露出部９と前記被覆部１０とを係止することができるものが挙げられる。加えて、前記露出部９と前記被覆部１０のいずれかに、前記止め部１１ａおよび前記被止め部１１ｂが設けられるかは、特に限定されるものではない。
【００２５】
また、前記装飾部４は、前記装飾部４に縫製等されることで固定される被装着部７ｂと、前記クラウン部２に縫製等されることで固定される装着部７ａとを備える。前記被装着部７ｂは、前記露出部９のクラウン部２側の面に設けられ、前記装着部７ａは、前記クラウン部２の外面に設けられる。そして、装着部７ａおよび被装着部７ｂを係止することで、前記装飾部４は、前記クラウン部２の周縁部に装着される。かかる装着部７ａおよび被装着部７ｂを設けることによって、前記装飾部４が帽子本体５から脱落することを防止する。また、前記装着部７ａおよび前記被装着部７ｂを設けることで、前記装飾部４が装着部により係止されるため、前記装飾部４の形状が崩れることがなくなり、前記装飾部４の見栄えがよくなる。さらに、前記装飾部４のクラウン部２側の面と前記クラウン部２の外面に設けられるため、前記被装着部７ｂと前記装着部７ａを係止した際に、前記被装着部７ｂと前記装着部７ａは、前記装飾部により隠れるため、前記帽子１の見栄えがよくなる。
【００２６】
前記装着部７ａおよび前記被装着部７ｂとしては、スナップボタン、面ファスナ、ホック等といった前記クラウン部２と前記装飾部４とを係止することができるものが挙げられる。なお、前記クラウン部２および前記装飾部４のいずれかに、前記装着部７ａおよび前記被装着部７ｂが設けられるかは、特に限定されるものではない。
【００２７】
さらに、図２に示すとおり、帽子本体５の外面には、前記装飾部４を挿通するための孔を備えたループ状部６が縫製される。ここで、前記孔に、前記装飾部４が挿通されることによって、図２では、前記装飾部４の略中央を保持し、前記装飾部４の形状がリボン状となる。したがって、帽子１の着用時においては、帽子１の審美性を確保することができる。また、前記装飾部４の形状等は、前記ループ状部６の孔により変化するため、持ち運び時における前記装飾部４の形状は必ずしも審美的なものであることを要しない。なお、前記ループ状部６は、前記装飾部４を帽子本体５に装着する機能も兼ねる。また、前記ループ状部６は、クラウン部２およびツバ部３のいずれかに縫製するかは、特に限定されない。さらに、ループ状部６の形状等は、装飾部４の形状等に応じて、形状、大きさ、数が適宜変更される。
【００２８】
以下において、本実施例に係る帽子１における装飾部４を前記帽子本体５から離脱時の動作を図４に基いて説明する。図４は、本考案の実施例に係る帽子１における装飾部４の離脱時の動作を示す図である。
【００２９】
まず、前記帽子１は、図４に示すとおり、装飾部４に設けられた被装着部７ｂがクラウン部２に設けられた装着部７ａに係止されることで、装着されている。ここで、前記被装着部７ｂを前記装着部７ａから外すことで、前記被装着部７ｂと前記装着部７ａとの係止が解除される。さらに、図４の引張方向Ｚに前記装飾部４を引くことで、前記装飾部４は、前記ループ状部６の孔内から引張方向Ｚに移動し、前記装飾部４は、前記帽子本体５から離脱する。
【００３０】
次に、前記帽子本体５を前記装飾部４に収納する時の手順を図６および図７に基づいて説明する。図６は、本考案の実施例に係る帽子１の装飾部４における開口部１２を示す図であり。図７は、本考案の実施例に係る帽子１における帽子本体５を装飾部４に収納した状態を示す図である。
【００３１】
まず、前記離脱した帽子本体５を、前記装飾部４の開口部１２へ入れる。その後、前記止め部１１ａおよび被止め部１１ｂを係止することで、前記開口部１２を閉じる。これにより、前記帽子本体５を前記装飾部４へコンパクトに収納することができる。
【００３２】
なお、本実施例にかかる帽子１における装飾部４を前記帽子本体５へ装着する時の手順は、上述した装飾部４を前記帽子本体５から離脱する時の手順と逆の動作を行えばよい。
【００３３】
以上により、本実施例に係る帽子１によれば、持ち運び時に前記帽子１をコンパクトに収納することができるため、帽子１の持ち運びが容易である。
また、着用者が帽子１を持ち運ぶ場合には、装飾として帽子に装着された装飾部４に帽子本体５を収納することができるため、別途袋等を持ち運ぶ必要はない。
さらに、帽子１に設けた持ち運びを容易にする構造として、装飾部４をクラウン部２に設けた装着部７ａに装着し、装飾部４に帽子本体５を収納するのみである。したがって、前記構造は、着用者にとっては負担を強いるものではない。
加えて、帽子１の着用時においては、ループ状部６に挿入された装飾部４がリボンの形状となり、かつ、前記装着部７ａも装飾部４とクラウン部２との間に隠れる。したがって、本実施例にかかる帽子１の外観は、通常の帽子となんら変わず、帽子１の審美性も確保することができる。
【００３４】
なお、図８に示すとおり、前記装飾部４、装着部７ａおよびループ状部６を帽子１の側頭部側に設けてもよい。
【００３５】
本考案の帽子１に係る利用分野その他の実施例としては、以下の態様が挙げれる。
帽子本体５に、ウール生地、ポリエステル生地、撥水性生地、遮光芯、天然素材、抗菌・防臭生地を使用する。
また、帽子本体５に、ＵＶ加工を施す。
さらに、帽子本体５の表面と裏面との模様、色彩等が異なるリバーシブル機能を持たせる。
装飾部４の形状を、リボン形、花形、ベルト形、果物形、動物形、ハート形、星形とする。
【符号の説明】
【００３６】
１      帽子
２      クラウン部
３      ツバ部
４      装飾部
５      帽子本体
６      ループ状部
７ａ    装着部
７ｂ    被装着部
８      基部
９      露出部
１０    被覆部
１１ａ  止め部
１１ｂ  被止め部
１２    開口部
Ｚ      引張方向
【図１】
0003200155.tif 000003
【図２】
0003200155.tif 000004
【図３】
0003200155.tif 000005
【図４】
0003200155.tif 000006
【図５】
0003200155.tif 000007
【図６】
0003200155.tif 000008
【図７】
0003200155.tif 000009
【図８】
0003200155.tif 000010
【図９】
0003200155.tif 000011
【手続補正書】
【提出日】平成27年7月17日(2015.7.17)
【手続補正１】
【補正対象書類名】実用新案登録請求の範囲
【補正対象項目名】請求項３
【補正方法】変更
【補正の内容】
【請求項３】
請求項２に記載の帽子であって、
前記帽子本体は、クラウン部を備え、
前記クラウン部は、外面に装着部を設け、
前記装飾部は、前記クラウン側の面に被装着部を備え、かつ、前記被装着部と前記装着部とが係止することによって前記帽子本体に着脱可能に装着されることを特徴とする帽子。
【手続補正２】
【補正対象書類名】実用新案登録請求の範囲
【補正対象項目名】請求項４
【補正方法】変更
【補正の内容】
【請求項４】
請求項３に記載の帽子であって、
前記装飾部は、前記帽子本体から取り外されたときに袋状をなし、かつ、基部と、前記基部の長手方向の両端に前記基部と一体となって構成される露出部および被覆部と、を備え、
前記被覆部の一部は、前記露出部によって覆われ、
前記露出部と前記被覆部の間には、開口部が形成され、
前記開口部は、前記露出部および前記被覆部の間に設けられた止め部および被止め部により着脱自在に開閉されることを特徴とする帽子。
【手続補正３】
【補正対象書類名】実用新案登録請求の範囲
【補正対象項目名】請求項５
【補正方法】変更
【補正の内容】
【請求項５】
請求項３又は４に記載の帽子であって、
前記装飾部は、前記クラウン部の後頭部側に設けられていることを特徴とする帽子。
【手続補正４】
【補正対象書類名】実用新案登録請求の範囲
【補正対象項目名】請求項６
【補正方法】変更
【補正の内容】
【請求項６】
請求項３又は４に記載の帽子であって、
前記装飾部は、前記クラウン部の側頭部側に設けられていることを特徴とする帽子。
【手続補正５】
【補正対象書類名】明細書
【補正対象項目名】０００９
【補正方法】変更
【補正の内容】
【０００９】
請求項３に記載の考案にあっては、請求項２に記載の帽子であって、前記帽子本体は、クラウン部を備え、前記クラウン部は、外面に装着部を設け、前記装飾部は、前記クラウン側の面に被装着部を備え、かつ、前記被装着部と前記装着部とが係止することによって前記帽子本体に着脱可能に装着されることを特徴とする。
【手続補正６】
【補正対象書類名】明細書
【補正対象項目名】００１０
【補正方法】変更
【補正の内容】
【００１０】
請求項４に記載の考案にあっては、請求項３に記載の帽子であって、前記装飾部は、前記帽子本体から取り外されたときに袋状をなし、かつ、基部と、前記基部の長手方向の両端に前記基部と一体となって構成される露出部および被覆部と、を備え、前記被覆部の一部は、前記露出部によって覆われ、前記露出部と前記被覆部の間には、開口部が形成され、前記開口部は、前記露出部および前記被覆部の間に設けられた止め部および被止め部により着脱自在に開閉されることを特徴とする。
【手続補正７】
【補正対象書類名】明細書
【補正対象項目名】００１１
【補正方法】変更
【補正の内容】
【００１１】
請求項５に記載の考案にあっては、請求項３又は４に記載の帽子であって、前記装飾部は、前記クラウン部の後頭部側に設けられていることを特徴とする。
【手続補正８】
【補正対象書類名】明細書
【補正対象項目名】００１２
【補正方法】変更
【補正の内容】
【００１２】
請求項６に記載の考案にあっては、請求項３又は４に記載の帽子であって、前記装飾部は、前記クラウン部の側頭部側に設けられていることを特徴とする。